(57)【要約】【課題】  撮像装置と、撮像装置と無線通信が可能な周辺機器が離れた場所に設定されていても、周辺機器の設定情報が撮像装置に簡単に読みとれる、操作性の良い撮像システムを実現する。【解決手段】  周辺機器は、周辺機器の設定情報を記憶する第１の記憶手段と、第１の記憶手段に記憶された設定情報を変調し、人体を介して送信する送信手段を有し、撮像装置は、送信手段から人体を介して送信された設定情報を受信して復調する第１の受信手段と、第１の受信手段で復調した設定情報を記憶する第２の記憶手段を有することを特徴とする撮像システム。【選択図】        図１
2007053664.tif 000002
【特許請求の範囲】
【請求項１】
撮像装置と、
該撮像装置の有する無線通信手段と無線通信が可能な周辺機器と、
から構成される撮像システムであって、
前記周辺機器は、
前記周辺機器の設定情報を記憶する第１の記憶手段と、
前記第１の記憶手段に記憶された設定情報を変調し、人体を介して送信する送信手段を有し、
前記撮像装置は、
前記送信手段から人体を介して送信された前記設定情報を受信して復調する受信手段と、
前記受信手段で復調した前記設定情報を記憶する第２の記憶手段を有することを特徴とする撮像システム。
【請求項２】
前記撮像装置は、
前記第２の記憶手段に記憶された前記設定情報に基づいて、
前記周辺機器と無線通信を行うことを特徴とする請求項１に記載の撮像システム。
【請求項３】
前記周辺機器は、
少なくとも２つ以上の無線通信のチャンネルを設定するチャンネル設定手段を有し、
前記第１の記憶手段に記憶された設定情報は、前記チャンネル設定手段で設定したチャンネル情報である、
ことを特徴とする請求項１または２に記載の撮像システム。
【請求項４】
前記周辺機器は、
フラッシュであることを特徴とする請求項１乃至３のいずれか１項に記載の撮像システム。
【請求項５】
前記周辺機器は、
リモートコントローラであることを特徴とする請求項１乃至３のいずれか１項に記載の撮像システム。
【請求項６】
前記周辺機器は、
測光用メータであることを特徴とする請求項１乃至３のいずれか１項に記載の撮像システム。
【請求項７】
前記撮像装置は、
前記第２の記憶手段に記憶された前記設定情報に基づいて、
前記周辺機器の制御を行うことを特徴とする請求項１に記載の撮像システム。
【請求項８】
前記周辺機器はフラッシュであり、
前記設定情報は、
前記フラッシュの有するガイドナンバ設定手段で設定したガイドナンバ情報であることを特徴とする請求項７に記載の撮像システム。
【請求項９】
撮像装置と、
該撮像装置と人体を介して通信可能な周辺機器、
から構成される撮像システムに用いられる情報伝達装置であって、
前記周辺機器の送信手段から、人体を介して送信された設定情報を、
受信して復調する受信手段と、
前記受信手段で復調した設定情報を記憶する第３の記憶手段と、
前記第３の記憶手段に記憶された設定情報を変調し、人体を介して送信する送信手段を有することを特徴とする情報伝達装置。
【請求項１０】
撮像装置と、
該撮像装置の有する無線通信手段と通信可能な周辺機器と、
から構成される撮像システムに用いられる撮像装置であって、
前記撮像装置は、
前記周辺機器から人体を介して送信された情報を、受信して復調する受信手段と、
を有することを特徴とする撮像装置。
【請求項１１】
前記撮像装置は、
シャッタボタンと、
情報の受信を制御する情報受信制御手段を有し、
前記情報受信制御手段はシャッタボタンの操作を検知して、前記情報の受信を開始するように制御する、
ことを特徴とする請求項１０に記載の撮像装置。
【請求項１２】
前記シャッタボタンは、
人体と接触する電極部を有し、
前記電極部を介して前記情報を受信することを特徴とする請求項１０または１１に記載の撮像装置。
【発明の詳細な説明】
【技術分野】
【０００１】
本発明は、撮像システム、撮像装置、情報伝達装置に関する。
【背景技術】
【０００２】
従来、被写体を立体的に照明するため、撮影時にカメラに内蔵または装着されたマスターフラッシュから信号を発光し、カメラから離れた位置に配置した少なくとも１台のスレーブフラッシュを同期発光させる、ワイヤレスフラッシュ撮影が行われている。
【０００３】
フラッシュ発光によるワイヤレス通信は、カメラ側のマスターフラッシュが発光し、このフラッシュ光をスレーブフラッシュが信号光として受光し、この信号光を受光したスレーブフラッシュが、信号光に応じて所定発光量で発光する、ことで行われる。
【０００４】
カメラ本体に設けられた演算部は、スレーブフラッシュの発光量に関する演算を行なっている。カメラ本体で演算された発光量データは、マスターフラッシュが発光する信号光によりスレーブフラッシュに対して送られる。
【０００５】
その際、他の信号光により誤動作しないように、マスターフラッシュとスレーブフラッシュの間で、互いに同じチャンネルを設定するようになっている。マスターフラッシュは信号光を発光する前に、チャンネル識別開始信号光を発光する。スレーブフラッシュは該チャンネル識別開始信号光を受光し、チャンネルを識別してスレーブフラッシュに設定されたチャンネルと同一チャンネルの場合は、以降の信号光を受光し、信号光に応じて所定発光量で発光する。このように、マスターフラッシュとスレーブフラッシュはそれぞれ同じチャンネルに設定する必要がある。
【０００６】
チャンネルの設定は、スレーブフラッシュのチャンネル設定を先に行う。また、フラッシュのガイドナンバの設定など、スレーブフラッシュの操作部材で設定する。
【０００７】
次に、マスターフラッシュを有するカメラにスレーブフラッシュを装着し、接点を介して設定されたチャンネルの情報、ガイドナンバの情報などをカメラが得て、マスターフラッシュのチャンネルの設定、ガイドナンバの設定を行う。
【０００８】
このようなワイヤレスフラッシュ撮影システムは、例えば特許文献１に開示されている。（例えば、特許文献１参照）。
【０００９】
同様に、カメラと無線で通信を行う周辺機器には、リモートコントローラや測光用メータなどがあり、無線通信を開始する前に、周辺機器側でチャンネルを設定し、カメラ側も同じチャンネルに設定する必要があった。
【００１０】
一方、異なる２つの機器間におけるデータ通信を、人体を介して行なう人体通信が提案されている。
【００１１】
人体通信では、人体をケーブルの代わりとして、人体を流れる電流の変化により信号を伝送するので、ケーブル類を用いた有線通信と比べてケーブルを使わなければならない煩わしさがなくなるという利点がある。また、無線で伝送する場合と比べて、伝送距離が短いため少ない消費電力で信号を伝送でき、回路規模を小さくすることができる。
【００１２】
例えば、トレーニングでの脈拍や心拍数などを測定する計測器を耳に装着し、腕に装着する腕時計のような表示手段とのデータのやり取りを人体を介して行なう方法が提案されている（例えば、特許文献２参照）。また、腕時計のような形状の送信部を装着し、受信部を備えた端末に振れることにより、人体を介してデータを送信する方法が提案されている（例えば、特許文献３参照）。さらに、人体を介した交信を行って相手の機器を特定し、交信する相手を特定した後は、別の高速な通信手段を用いてデータ通信を行う方法が提案されている（例えば、特許文献４参照）。
【特許文献１】特開２００２−７２３００号公報
【特許文献２】特開２００３−５５７号公報
【特許文献３】特開２００３−１３２０３１号公報
【特許文献４】特開２００４−２６０８００号公報
【発明の開示】
【発明が解決しようとする課題】
【００１３】
撮影会などにおいて、複数の撮影者がワイヤレスフラッシュ撮影を行って、複数台のカメラのマスターフラッシュと複数台のスレーブフラッシュの間で、ワイヤレス通信により発光制御を行って撮影すると、設定された発光信号のチャンネルが重複し、フラッシュが誤発光する場合がある。その場合、スレーブフラッシュのチャンネル設定を変更した後、カメラの制御するマスターフラッシュのチャンネル設定を変更する必要がある。カメラと赤外光など無線で通信するリモートコントローラや測光用メータなどの周辺機器でも同様の問題が発生することがあり、その場合、カメラのチャンネル設定を変更する必要がある。
【００１４】
また、ワイヤレスフラッシュ撮影において、カメラがスレーブフラッシュの発光量を制御するため、スレーブフラッシュに設定したガイドナンバの情報をカメラに入力する必要がある。
【００１５】
しかしながら、撮影時にスレーブフラッシュは、カメラから離れた位置に配置された三脚等に装着されている場合が多い。従来、スレーブフラッシュの設定情報はカメラに装着して、カメラに入力するので、スレーブフラッシュを三脚からはずし、カメラに装着する必要があった。特に、複数台のスレーブフラッシュを使用して撮影する場合は、脱着とチャンネル設定変更の手間は大変面倒で、時間がかかる作業であった。
【００１６】
本発明は、上記課題に鑑みてなされたものであって、人物が周辺機器とカメラに触れることにより、周辺機器の設定情報をカメラ本体に伝送し、カメラ側の設定を行うことができる、操作性の良い撮像システムを提供することを目的とする。
【課題を解決するための手段】
【００１７】
本発明の目的は、下記構成により達成することができる。
【００１８】
（１）
撮像装置と、
該撮像装置の有する無線通信手段と無線通信が可能な周辺機器と、
から構成される撮像システムであって、
前記周辺機器は、
前記周辺機器の設定情報を記憶する第１の記憶手段と、
前記第１の記憶手段に記憶された設定情報を変調し、人体を介して送信する送信手段を有し、
前記撮像装置は、
前記送信手段から人体を介して送信された前記設定情報を受信して復調する受信手段と、
前記受信手段で復調した前記設定情報を記憶する第２の記憶手段を有することを特徴とする撮像システム。
【００１９】
（２）
前記撮像装置は、
前記第２の記憶手段に記憶された前記設定情報に基づいて、
前記周辺機器と無線通信を行うことを特徴とする（１）に記載の撮像システム。
【００２０】
（３）
前記周辺機器は、
少なくとも２つ以上の無線通信のチャンネルを設定するチャンネル設定手段を有し、
前記第１の記憶手段に記憶された設定情報は、前記チャンネル設定手段で設定したチャンネル情報である、
ことを特徴とする（１）または（２）に記載の撮像システム。
【００２１】
（４）
前記周辺機器は、
フラッシュであることを特徴とする（１）乃至（３）のいずれか１項に記載の撮像システム。
【００２２】
（５）
前記周辺機器は、
リモートコントローラであることを特徴とする（１）乃至（３）のいずれか１項に記載の撮像システム。
【００２３】
（６）
前記周辺機器は、
測光用メータであることを特徴とする（１）乃至（３）のいずれか１項に記載の撮像システム。
【００２４】
（７）
前記撮像装置は、
前記第２の記憶手段に記憶された前記設定情報に基づいて、
前記周辺機器の制御を行うことを特徴とする（１）に記載の撮像システム。
【００２５】
（８）
前記周辺機器はフラッシュであり、
前記設定情報は、
前記フラッシュの有するガイドナンバ設定手段で設定したガイドナンバ情報であることを特徴とする（７）に記載の撮像システム。
【００２６】
（９）
撮像装置と、
該撮像装置と人体を介して通信可能な周辺機器、
から構成される撮像システムに用いられる情報伝達装置であって、
前記周辺機器の送信手段から、人体を介して送信された設定情報を、
受信して復調する受信手段と、
前記受信手段で復調した設定情報を記憶する第３の記憶手段と、
前記第３の記憶手段に記憶された設定情報を変調し、人体を介して送信する送信手段を有することを特徴とする情報伝達装置。
【００２７】
（１０）
撮像装置と、
該撮像装置の有する無線通信手段と通信可能な周辺機器と、
から構成される撮像システムに用いられる撮像装置であって、
前記撮像装置は、
前記周辺機器から人体を介して送信された情報を、受信して復調する受信手段と、
を有することを特徴とする撮像装置。
【００２８】
（１１）
前記撮像装置は、
シャッタボタンと、
情報の受信を制御する情報受信制御手段を有し、
前記情報受信制御手段はシャッタボタンの操作を検知して、前記情報の受信を開始するように制御する、
ことを特徴とする（１０）に記載の撮像装置。
【００２９】
（１２）
前記シャッタボタンは、
人体と接触する電極部を有し、
前記電極部を介して前記情報を受信することを特徴とする（１０）または（１１）に記載の撮像装置。
【発明の効果】
【００３０】
撮像装置と周辺機器が無線通信を行う撮像システムにおいて、周辺機器の設定情報を人体を介して撮像装置に伝送するので、周辺機器の設定情報を簡単に伝送できる、操作性の良い撮像システムを提供できる。
【００３１】
周辺機器で設定した無線通信チャンネルの情報を人体通信で伝送するので、無線通信を開始するために必要な無線通信チャンネルの情報を、人体を介して撮像装置に伝送できる、操作性の良い撮像システムを提供できる。
【００３２】
また、撮像装置に伝送された無線通信チャンネルの情報に基づいて、無線通信を開始する、操作性の良い撮像システムを提供できる。
【００３３】
周辺機器がフラッシュ、リモートコントローラ、測光用メータの場合も、設定情報を簡単に伝送できる、操作性の良い撮像システムを提供できる。
【００３４】
周辺機器がフラッシュの場合は、ガイドナンバの情報も無線通信を開始する前に撮像装置に伝送できるので、設定手順が少ない、操作性の良い撮像システムを提供できる。
【００３５】
情報伝達装置は、撮像装置と周辺機器の間で人体を介して通信する情報を中継することができるので、撮像装置と周辺機器が離れていても、人体通信の通信機能を用いて通信することができる情報伝達装置を提供できる。
【発明を実施するための最良の形態】
【００３６】
以下図面に基づいて、本発明の実施形態に係わる撮像システムについて説明する。
【００３７】
図１は、本発明の実施の形態における、人体を介しての通信する際の伝送経路を説明する説明図である。
【００３８】
図１に示すように、電極Ａ  ３０１と電極Ｃ  ２０１が、人体と電気的に接続されることにより、「電極Ａ  ３０１→人体→電極Ｃ  ２０１」というルートが構成される。電極Ａ  ３０１と人体との界面のインピーダンス値をＺ〔電極Ａ−人〕、人体のインピーダンス値をＺ〔人〕、人体と電極Ｃとの界面のインピーダンス値をＺ〔電極Ｃ−人〕とすると、「電極Ａ  ３０１→人体→電極Ｃ  ２０１」の間のインピーダンス値はＺ〔電極Ａ−人〕＋Ｚ〔人〕＋Ｚ〔電極Ｃ−人〕である。
【００３９】
一方、電極Ｂ  ３０２と人体との界面インピーダンス値は、電極Ａ  ３０１と人体との界面のインピーダンス値より大きくなるように電極を設けている。同様に、電極Ｄ  ２０２と人体との界面インピーダンス値は、電極Ｃ  ２０１と人体との界面のインピーダンス値より大きくなるように電極を設けているので、電極Ｂ  ３０２と電極Ｄ  ２０２は静電結合し、「電極Ｂ  ３０２→電極Ｄ  ２０２」というルートが構成される。このルートのインピーダンス値は、電極Ｂ  ３０２と電極Ｄ  ２０２との静電結合のインピーダンス値Ｚ〔電極Ｂ−電極Ｄ〕である。
【００４０】
図２はこの２つの伝送経路を、上記のインピーダンス値を用いて等価回路で表現した等価回路図である。受信部２００の入力インピーダンス値をＺ〔受〕とすれば、単純な電圧分配により、Ｚ〔受〕にかかる電圧を検出することによって、送信部３００から受信部２００への伝送信号を検出でき、通信が実現される。
【００４１】
図３は、本発明の実施形態における、撮像システムを構成する撮像装置１０の外観図である。撮像装置１０は、交換レンズ３を交換可能な一眼レフ型のデジタルカメラである。
【００４２】
撮像装置１０のグリップ部２０５の上部に配置されたシャッタボタン６１には、本発明の実施形態における周辺機器である後述するフラッシュ５やリモートコントローラ６、測光用メータ７、および情報伝達装置８などと、人体を介して通信するための電極Ｃ  ２０１が設けられている。また、グリップ部２０５の横には、人体を介して通信するための、もう一方の電極Ｄ  ２０２が設けられている。
【００４３】
なお、電極Ｃ  ２０１は撮像装置１０が周辺機器などと通信時に指など人体に接触するように配置されれば良く、シャッタボタン６１上に限定されるものではない。一方、電極Ｄ  ２０２は撮像装置１０が周辺機器と通信時に、人体の近くで人体に接触しない位置に配置されれば良く、撮像装置１０の上面や筐体の内面などに配置しても良い。
【００４４】
赤外線受光部４４は、リモートコントローラ６、測光用メータ７などの周辺機器が、あらかじめ決められた通信手順に則って所定の時間間隔で発光する赤外光を受光し、前記周辺機器と通信を行う。
【００４５】
撮像装置１０の上面側には撮影モードダイアル６４と内蔵フラッシュ９４が設けられている。
【００４６】
内蔵フラッシュ９４は、あらかじめ決められた通信手順に則って所定の時間間隔で発光することにより、撮像装置１０から離れた位置に設置された少なくとも１台のフラッシュ５と通信を行う。内蔵フラッシュ９４の指令によりフラッシュ５が制御されるので、内蔵フラッシュ９４は、マスターフラッシュであり、フラッシュ５はスレーブフラッシュである。
【００４７】
図４に示すカメラ本体部２の背面側には電源スイッチ１０２、本発明の表示手段である液晶モニタ８１、モードスイッチ６２、表示切り替えボタン６３、十字キー６５、実行ボタン６６、ファインダ１０４、ファインダ接眼部１０５、メモリカード蓋８２が設けられている。
【００４８】
モードスイッチ６２は撮影モードと再生モードとセットアップモードを切り替えるスイッチである。撮影モードは、写真撮影を行うモードであり、再生モードは、メモリカード２５に記録された撮影画像を液晶モニタ８１に再生表示するモードである。セットアップモードは各種設定を行うモードである。セットアップモードにおける各種設定は、セットアップモードを選択した後、液晶モニタ８１に表示される設定画面を見ながら、十字キー６５、実行ボタン６６で設定する。
【００４９】
撮影モードダイアル６４は、マルチフラッシュ撮影モード、リモコン撮影モード、メータ測光モードなど各種撮影モードを切り替えるダイアルである。マルチフラッシュ撮影モードは、内蔵フラッシュ９４からの無線による制御により、外部に設置した後述するフラッシュ５を発光させる撮影モード、リモコン撮影モードは、後述するリモートコントローラ６からの遠隔指令により撮影する撮影モード、メータ測光モードは後述する測光用メータ７の測定結果を無線通信で得て、撮影条件を決定する撮影モードである。
【００５０】
図５は、撮像システム１と、撮像システム１を構成する図３、図４に示した撮像装置１０の主たる機能構成を示すブロック図である。なお、図３、図４に示したものと同じ構成要素には同符号を付して説明を省略する。
【００５１】
撮像システム１は、撮像装置１０と周辺機器、情報伝達装置８から構成される。本発明の実施形態における周辺機器は後述するフラッシュ５、後述するリモートコントローラ６、後述する測光用メータ７である。
【００５２】
フラッシュ５は、内蔵フラッシュ９４からのフラッシュ光により、無線通信を行う。また、本発明の実施形態における周辺機器であるリモートコントローラ６、測光用メータ７は赤外光により信号を送信し、撮像装置１０は赤外線受光部４４により受信する。また、フラッシュ５、リモートコントローラ６、測光用メータ７はそれぞれ撮像装置１０と人体通信を行う。情報伝達装置８はそれぞれの周辺機器と撮像装置１０の間で人体通信を行う。人体通信、無線通信については後に詳しく説明する。
【００５３】
撮像装置１０は、交換レンズ３、Ａ／Ｄ変換部２１、画像処理部２２、操作部６０、メインマイコン部７９、赤外線受光部４４、内蔵フラッシュ９４、画像メモリ２３、メモリカード２５等を有する。
【００５４】
制御手段として機能するメインマイコン部７９は、マイクロコンピュータを備えて構成される。すなわち、メインマイコン部７９は、各種演算処理を行うメインＣＰＵ７０と、演算を行うための作業領域となるＲＡＭ７５と、制御プログラムなどが記憶されるＲＯＭ７６とを備え、デジタルカメラ１の各処理部の動作を統括的に制御する。
【００５５】
ＲＡＭ７５は本実施形態の第２の記憶手段であり、周辺機器の設定情報を一時記憶する。不揮発性メモリであるＲＯＭ７６としては、例えば、データの電気的な書き換えが可能なＥＥＰＲＯＭが採用される。これにより、ＲＯＭ７６は、データの書き換えが可能で、かつ、電源を落とした場合でもそのデータの内容を保持する。
【００５６】
メインマイコン部７９は、入力された各センサの出力電圧をデジタル値に変換し、メインマイコン部７９に入力する、図示せぬＡ／Ｄ変換部を備えて構成されている。
【００５７】
赤外線受光部４４、定常光を測光する測光センサ４１、フラッシュ光測光センサ４３の信号出力は、メインマイコン部７９に入力され、メインマイコン部７９の内部でＡ／Ｄ変換されている。メインマイコン部７９は入力された信号を解析し、各部の制御を行う。制御の詳細については後で詳しく説明する。
【００５８】
撮影時において、ミラー駆動部９１はメインマイコン部７９の指令により、ミラー３４を駆動し、交換レンズ３の光路から退避させる。また、シャッタ駆動部９３はメインマイコン部７９の指令によりシャッタ５１を開放する。すると、交換レンズ３のレンズ群３２と絞り３３を透過した光束は、ＣＣＤ５３上に結像する。
【００５９】
Ａ／Ｄ変換部２１、バッファメモリ２６、画像処理部２２および画像メモリ２３は、ＣＣＤ５３にて取得された画像を扱う処理部を示している。ＣＣＤ５３にて取得されたアナログ信号の画像は、Ａ／Ｄ変換部２１にて例えば１４ビットのデジタル信号に逐次変換され、デジタル画像データとしてバッファメモリ２６に一時記憶される。前記画像データを画像処理を行う前の生データ、すなわちＲＡＷデータと呼ぶ。
【００６０】
画像処理部２２は、ＷＢ（Ｗｈｉｔｅ  Ｂａｌａｎｃｅ）補正、画素補間、リニアマトリクス、ガンマ補正、色差マトリクス処理、輪郭補正、画像圧縮などの画像処理機能を有する。ガンマ補正、輪郭補正、ＷＢ補正の補正量の設定値はメインマイコン部７９からの指令により設定される。
【００６１】
また、メインマイコン部７９は、本実施形態の無線通信手段である無線通信制御部７１、人体通信受信制御部７３の他、フラッシュ制御、リモコン制御、自動合焦制御（以下、ＡＦ制御と呼ぶ）、自動露出制御（以下、ＡＥ制御と呼ぶ）、などの各種の制御機能を有する。メインマイコン部７９の各種の機能は、予めＲＯＭ７６内に記憶される制御プログラムに従ってメインＣＰＵ７０が演算処理を行うことにより実現される。
【００６２】
無線通信制御部７１は、周辺機器との無線通信を制御する制御手段である。無線通信制御部７１は、後述するフラッシュ５との通信において、内蔵フラッシュ９４の発光を制御し、後述するリモートコントローラ６、測光用メータ７との通信において、赤外線受光部４４で受光した信号を解析し、所定の制御を行う。
【００６３】
無線通信制御部７１は、通信を開始するのに先立って、ＲＡＭ７５に一時記憶された周辺機器の設定情報に基づいて、周辺機器と通信する際の無線通信のチャンネルを設定する。
【００６４】
例えば、ＲＡＭ７５に一時記憶された設定情報によれば、後述するフラッシュ５がＡチャンネルに設定されている場合、送信側の無線通信制御部７１が内蔵フラッシュ９４を制御して通信する際、最初にＡチャンネルのチャンネル識別信号を発光する。フラッシュ５は、チャンネル識別信号が異なる場合は以降の指令を受信しない。通信の詳細については後に詳しく説明する。
【００６５】
また、ＲＡＭ７５に一時記憶された設定情報によれば、後述するリモートコントローラ６が１チャンネル、測光用メータ７が５チャンネルに設定されていたとすると、受信側の無線通信制御部７１が赤外線受光部４４で受光した信号を解析し、チャンネル識別信号が１チャンネルと５チャンネル以外の場合は以降の指令を受信しない。なお、リモートコントローラ６と測光用メータ７が同一チャンネルに設定されていても、以降の指令を解析することにより判別できるので問題ない。
【００６６】
無線通信制御部７１によるフラッシュ５との通信について説明する前に、メインマイコン部７９が行うフラッシュ制御について説明する。
【００６７】
メインマイコン部７９は、内蔵フラッシュ９４の発光量、またはフラッシュ５の発光量を決定するため、シャッタ５１が閉じたタイミングで内蔵フラッシュ９４を予備的に発光させる。発光後に被写体で反射した光束が、レンズ群３２と絞り３３を透過し、シャッタ５１の表面に設けられた反射板に反射して、撮像装置１０の内部に設けられたフラッシュ光量測光センサ４３に入射する。メインマイコン部７９は、フラッシュ光量測光センサ４３より得られた、フラッシュ発光時における被写体からの反射光の積分値から、内蔵フラッシュ９４、またはフラッシュ５の発光時のガイドナンバ設定と発光時間を算出する。
【００６８】
内蔵フラッシュ９４だけが発光する通常の撮影モードにおいては、メインマイコン部７９は、内蔵フラッシュ９４を算出した前記ガイドナンバに設定し、シャッタ５１が全開になるタイミングで内蔵フラッシュ９４に発光を指令し、前記算出した発光時間経過後、発行停止を指令する。
【００６９】
マルチフラッシュ撮影モードにおいて、メインマイコン部７９は、フラッシュ５の発光により適正露光が得られるように、フラッシュ５の必要なガイドナンバと発光時間を算出する。フラッシュ５へのガイドナンバ設定、発光開始、発行停止の指令は、無線通信制御部７１が内蔵フラッシュ９４の発光を制御して行う。
【００７０】
リモコン撮影モードにおいて、無線通信制御部７１は赤外線受光部４４が受光したリモートコントローラ６からの指令を解析し、各部を制御する。
【００７１】
メータ測光モードにおいて、無線通信制御部７１は赤外線受光部４４が受光した測光用メータ７の測光情報をＲＡＭ７５に一時記憶し、メインマイコン部７９は前記測光情報に基づいて自動露光制御を行う。
【００７２】
通常撮影モードにおいて、メインマイコン部７９は、測光センサ４１より得られた被写体輝度の測光値により露出値を得て、シャッタ駆動部９３と絞り駆動部３３１を制御し、所定のシャッタ速度と絞り値に調整することによって自動露出制御を実現する。
【００７３】
人体通信受信制御部７３は、後述する本実施形態の受信手段である受信部２００で受信した設定情報を、本実施形態の第２の記憶手段であるＲＡＭ７５に記憶する。
【００７４】
ＡＦ制御において、メインマイコン部７９は、交換レンズ３の固有の情報と、測距センサ４２より得られた輝度情報により合焦用評価値を得て、交換レンズ３の焦点位置を調整することによって自動合焦制御を実現する。
【００７５】
また、メインマイコン部７９は、圧縮後の画像をメモリカード２５に記録したり、また液晶モニタ８１などに表示出力する制御機能も持っている。このような画像に対する各種の処理もメインマイコン部７９の制御に基づいて行われる。
【００７６】
操作部６０として、それぞれ独立して設けられた複数の操作部材であるシャッタボタン６１、モードスイッチ６２、表示切り替えボタン６３、撮影モードダイアル６４、十字キー６５，実行ボタン６６および電源スイッチ１０２の各出力は、メインマイコン部７９に入力されている。
【００７７】
操作者（ユーザ）は、この操作部６０にて所定の操作を行うことにより、各種の設定操作を行うことができる。
【００７８】
シャッタボタン６１には半押しでＯＮになるスイッチＳＷ１  １８１と全押しでＯＮになるスイッチＳＷ２  １８２が連動しており、メインＣＰＵ７０が半押し（ＳＷ１  １８１  ＯＮ）、全押し（ＳＷ２  １８２  ＯＮ）のタイミングを検知できるようになっている。
【００７９】
図６は、本発明の実施形態における受信手段である受信部２００を説明するブロック図である。
【００８０】
図６に示すように受信部２００には、人体に対するインピーダンス値が小さい受信電極である電極Ｃ  ２０１と、それに比較してインピーダンス値が大きい受信電極である電極Ｄ  ２０２を備えている。
【００８１】
受信部２００は、送信部３００の搬送波周波数のみを取り出すことができるように調節されたフィルタ手段２０３と、フィルタ手段２０３の出力信号を増幅するアンプ等の増幅手段２０４と、増幅手段２０４の出力から変調された伝送信号を復調する復調手段２０５と、を備えている。なお、送信部３００には、回路の基準電位となる回路グランド（図示せず）が設けられるが、この回路グランドを人体に対するインピーダンス値が小さい方の電極である電極Ｃ  ２０１として形成してもよい。
【００８２】
また、電極Ａ  ３０１、電極Ｃ  ２０１は、それぞれ電極Ｂ  ３０２、電極Ｄ  ２０２の人体に対するインピーダンス値より小さくなるように設けられていればよく、例えば、電極Ａ  ３０１及び電極Ｃ  ２０１が、人体に近設されており、電極Ｂ  ３０２及び電極Ｄ  ２０２が人体から離設されていればよい。さらに、電極と人体との電気的接続を阻止するものでなければ、人体と電極との間に繊維やケーシング材料等が介在してもよく、直接人体に触れる必要はない。
【００８３】
図７は、本発明の第１の実施形態における、撮像システムを構成するフラッシュ５の外観図、図８は、マルチフラッシュ撮影時の無線通信を説明するための説明図である。図７（ａ）は正面図、図７（ｂ）は背面図である。なお、これまでの図に示したものと同じ構成要素には、同符号を付して説明を省略する。
【００８４】
フラッシュ５はマルチフラッシュ撮影に対応したフラッシュである。フラッシュ５は、図８のようにマスターフラッシュである内蔵フラッシュ９４が通信手順に則って所定の時間間隔で発光した光束の一部を受光部３３２で受光し、指令を解析して発光するスレーブフラッシュとして機能する。
【００８５】
フラッシュ５の背面のチャンネル設定スイッチ３３０は、フラッシュ光による無線通信のチャンネルを設定するスイッチであり、混信を避けるため少なくとも２つ以上のチャンネルを設定できる。例えば、ＡチャンネルとＢチャンネルのいずれかを選択して設定できるようになっている。フラッシュ５がＡチャンネルに設定されている場合は、送信側が最初にＡチャンネルのチャンネル識別信号を発光しなければ、フラッシュ５は受信しない。チャンネル識別信号は、例えばＡチャンネルの場合は５ｍｓ間隔で２回発光、Ｂチャンネルの場合は１０ｍｓ間隔で２回発光というように、あらかじめ決められており、チャンネル識別信号を受光したフラッシュ５は、発光の時間間隔からチャンネルを識別し、チャンネル設定スイッチ３３０で設定されたチャンネルと一致する場合だけ以降の指令を受信する。なお、このようなフラッシュ光を用いて無線通信を行うワイヤレスフラッシュシステムの詳細については、例えば特許文献１等の多くの特許文献に開示されている。
【００８６】
フラッシュ５の背面のガイドナンバ設定スイッチ３３１はフラッシュ５の発光量をあらわすガイドナンバを設定するスイッチである。このスイッチによりガイドナンバを、例えば６４、３２、１６というように設定できる。
【００８７】
フラッシュ５の背面には、後で詳しく説明する本実施形態の人体通信を開始するための操作部材である通信開始ボタン３０３ａが設けられている。通信開始ボタン３０３ａを押すとフラッシュ５の設定情報を人体を介して撮像装置１０に送信する。通信開始ボタン３０３ａの表面には、通信開始ボタン３０３ａを押すと指と接触するように電極Ａ  ３０１が設けられている。また、フラッシュ５の正面部の筐体裏側には人体を介して通信するためのもう一方の電極Ｂ  ３０２が設けられている。
【００８８】
なお、通信開始ボタン３０３ａの位置は本実施の形態に限定されるものではなく、操作を妨げない位置であれば、フラッシュ５の上面や側面などに配置しても良い。電極Ａ  ３０１、電極Ｂ  ３０２も同様であり、電極Ａ  ３０１はフラッシュ５が撮像装置１０と通信時に指など人体に接触するように配置されれば良く、通信開始ボタン３０３ａ上に限定されるものではない。一方、電極Ｂ  ３０２はフラッシュ５がカメラ本体２と通信時に、人体の近くで人体に接触しない位置に配置されれば良く、発光部３３３の内側などに配置しても良い。
【００８９】
表示部３３４は各種設定値を表示する表示部、発光部３３３はフラッシュ５の発光部である。
【００９０】
図９は本発明の第１の実施形態における、撮像システムを構成するフラッシュ５のブロック図である。なお、これまでの図に示したものと同じ構成要素には、同符号を付して説明を省略する。
【００９１】
フラッシュ５は、発光部３３３のほか、フラッシュ５全体を制御するフラッシュマイコン部３２０、本実施形態のチャンネル設定手段であるチャンネル設定スイッチ３３０、本実施形態のガイドナンバ設定手段であるガイドナンバ設定スイッチ３３１、操作部材である操作ボタン３０３ａと、操作ボタン３０３ａに連動する通信開始スイッチ３０３、人体を介しての送信手段である送信部３００、などから構成され、フラッシュマイコン部３２０が各部を制御している。
【００９２】
フラッシュマイコン部３２０はフラッシュＣＰＵ３２１、フラッシュＲＡＭ３２２、フラッシュＲＯＭ３２３等から構成され、不揮発性の記憶部であるフラッシュＲＯＭ３２３に記憶されているプログラムをフラッシュＲＡＭ３２２に読み出し、当該プログラムに従って発光部３２２、操作ボタン３０３ａ、送信部３００を含むフラッシュ５の各部を集中制御する。
【００９３】
フラッシュマイコン部３２０は、チャンネル設定スイッチ３３０、ガイドナンバ設定スイッチ３３１にアクセスし、設定状態を読みとって、フラッシュＲＡＭ３２２に記憶する。フラッシュＲＡＭ３２２は本実施形態における第１の記憶手段である。
【００９４】
送信部３００は本実施形態における送信手段である。図１で説明したように、送信部３００と接続される電極Ａ３０１、電極Ｂ３０２とカメラ１の受信部２００に接続される電極Ｃ２０１、電極Ｄ２０２の間で人体を介して通信が行われる。フラッシュマイコン部３２０の人体通信送信制御部３２５はフラッシュＲＡＭ３２２に記憶した情報を、送信部３００を制御して送信する。
【００９５】
図６（ｂ）の操作ボタン３０３ａのように、通信開始スイッチ３０３の操作ボタン３０３ａに人体と接触する電極Ａ  ３０１を形成した実施形態を説明する。通信を開始するために通信開始スイッチ３０３を押して、人体（指）が操作ボタン３０３ａに触れると、電極Ａ  ３０１と人体を介して信号を送信または受信できるようになっている。
【００９６】
図１に示すように、送信部３００は、人体に対するインピーダンス値が小さい送信電極である電極Ａ  ３０１と、それに比較してインピーダンス値が大きい送信電極である電極Ｂ  ３０２を備えている。
【００９７】
送信部３００は搬送波周波数を発生するＰＬＬ等の発振手段３０４と、その搬送波周波数に重畳して変調信号を生成する変調手段３０５と、変調信号に対応する電圧を印加する電圧印加手段３０６と、を備えている。
【００９８】
通信開始スイッチ３０３はフラッシュマイコン部３２０に接続されている。フラッシュマイコン部３２０の人体通信送信制御部３２５が通信開始スイッチ３０３がＯＮになったことを検知すると、図示せぬ電源部が送信部の給電を開始するように制御する。
【００９９】
人体通信送信制御部３２５の出力端子は変調手段３０５に接続されている。人体通信送信制御部３２５がフラッシュＲＡＭ３２２から読み出したチャンネル設定情報などの出力信号は、変調手段３０５で変調され、伝送信号として伝送されるようになっている。
【０１００】
また、送信部３００には、回路の基準電位となる回路グランド（図示せず）が設けられるが、この回路グランドを電極Ａ  ３０１、又は電極Ｂ  ３０２のいずれか一方として形成すれば、別途回路グランドの電極を設けなくてもよい。
【０１０１】
図１０は、本発明の第２の実施形態における、撮像システムを構成するリモートコントローラ６の外観図である。図１０（ａ）は正面図、図１０（ｂ）は背面図である。なお、これまでの図に示したものと同じ構成要素には、同符号を付して説明を省略する。
【０１０２】
リモートコントローラ６は赤外線による無線通信機能を有し、赤外線通信発光部４３３から撮像装置１０の赤外線受光部４４に向けて、あらかじめ赤外線の発光間隔により定められている指令を送信する。
【０１０３】
リモートコントローラ６の背面のチャンネル設定スイッチ３３０は、リモートコントローラ６による赤外線による無線通信のチャンネルを設定するスイッチであり、フラッシュ光による無線通信の場合と同様に、混信を避けるため少なくとも２つ以上のチャンネルを設定できる。送信側のリモートコントローラ６と受信側の撮像装置１０が同じチャンネルに設定されていなければ、撮像装置１０は受信しない。
【０１０４】
通信を開始するにあたっては、リモートコントローラ６は最初にチャンネル識別信号を発光する。チャンネル識別信号は、例えばＡチャンネルの場合は５ｍｓ間隔で２回発光、Ｂチャンネルの場合は１０ｍｓ間隔で２回発光というように、あらかじめ決められており、チャンネル識別信号を受光した撮像装置１０は、発光の時間間隔からチャンネルを識別し、ＲＡＭ７５に記憶されている設定情報と一致する場合だけ以降の指令を受信する。
【０１０５】
リモートコントローラ６の正面には、図７で説明した３０３ａが設けられている。通信開始ボタン３０３ａを押すとリモートコントローラ６のチャンネル設定情報を人体を介して撮像装置１０に送信する。通信開始ボタン３０３ａの表面には、通信開始ボタン３０３ａを押すと指と接触するように電極Ａ  ３０１が設けられている。また、リモートコントローラ６の背面部の筐体裏側には人体を介して通信するためのもう一方の電極Ｂ  ３０２が設けられている。
【０１０６】
なお、通信開始ボタン３０３の位置は本実施の形態に限定されるものではなく、操作を妨げない位置であれば、リモートコントローラ６の上面や側面などに配置しても良い。電極Ａ  ３０１、電極Ｂ  ３０２も同様であり、電極Ａ  ３０１はリモートコントローラ６が撮像装置１０と通信時に指など人体に接触するように配置されれば良く、通信開始ボタン３０３ａ上に限定されるものではない。一方、電極Ｂ  ３０２はフラッシュ５がカメラ本体２と通信時に、人体の近くで人体に接触しない位置に配置されれば良い。
【０１０７】
図１１は本発明の第２の実施形態における、撮像システムを構成するリモートコントローラ６のブロック図である。なお、これまでの図に示したものと同じ構成要素には、同符号を付して説明を省略する。
【０１０８】
リモートコントローラ６は、赤外線通信発光部４３３のほか、リモートコントローラ６全体を制御するリモコンマイコン部５２０、本実施形態のチャンネル設定手段であるチャンネル設定スイッチ３３０、操作部材である操作ボタン３０３ａと、操作ボタン３０３ａに連動する通信開始スイッチ３０３、人体を介しての送信手段である送信部３００、リモコンキー５３１などから構成され、リモコンマイコン部３２０が各部を制御している。
【０１０９】
リモコンマイコン部５２０はリモコンＣＰＵ５２１、リモコンＲＡＭ５２２、リモコンＲＯＭ５２３等から構成され、不揮発性の記憶部であるリモコンＲＯＭ５２３に記憶されているプログラムをリモコンＲＡＭ５２２に読み出し、当該プログラムに従って赤外線通信発光部４３３、リモコンキー５３１、送信部３００を含むリモートコントローラ６の各部を集中制御する。
【０１１０】
リモコンマイコン部５２０は、チャンネル設定スイッチ３３０にアクセスし、設定状態を読みとって、リモコンＲＡＭ５２２に記憶する。リモコンＲＡＭ５２２は第２の実施形態における第１の記憶手段である。
【０１１１】
送信部３００は第２の実施形態における送信手段である。図１で説明したように、送信部３００と接続される電極Ａ３０１、電極Ｂ３０２とカメラ１の受信部２００に接続される電極Ｃ２０１、電極Ｄ２０２の間で人体を介して通信が行われる。リモコンマイコン部５２０の人体通信送信制御部３２５はリモコンＲＡＭ５２２に記憶した情報を、送信部３００を制御して送信する。
【０１１２】
図１２は、本発明の第３の実施形態における、撮像システムを構成する測光用メータ７の外観図である。図１２（ａ）は正面図、図１２（ｂ）は背面図である。なお、これまでの図に示したものと同じ構成要素には、同符号を付して説明を省略する。
【０１１３】
測光用メータ７は図１０で説明した赤外線通信発光部４３３による無線通信機能を有している。測光用メータ７の背面のチャンネル設定スイッチ３３０は、測光用メータ７による赤外線による無線通信のチャンネルを設定するスイッチである。
【０１１４】
測光用メータ７の正面には、図７で説明した通信開始ボタン３０３ａが設けられている。また、通信開始ボタン３０３ａの表面には、通信開始ボタン３０３ａを押すと指と接触するように電極Ａ  ３０１が設けられている。測光用メータ７の背面部の筐体裏側には人体を介して通信するためのもう一方の電極Ｂ  ３０２が設けられている。
【０１１５】
なお、通信開始ボタン３０３ａの位置は本実施の形態に限定されるものではなく、操作を妨げない位置であれば、測光用メータ７の上面や側面などに配置しても良い。電極Ａ  ３０１、電極Ｂ  ３０２も同様であり、電極Ａ  ３０１は測光用メータ７が撮像装置１０と通信時に指など人体に接触するように配置されれば良く、通信開始ボタン３０３上に限定されるものではない。一方、電極Ｂ  ３０２はフラッシュ５がカメラ本体２と通信時に、人体の近くで人体に接触しない位置に配置されれば良い。
【０１１６】
図１３は本発明の第３の実施形態における、撮像システムを構成する周辺機器である測光用メータ７のブロック図である。なお、これまでの図に示したものと同じ構成要素には、同符号を付して説明を省略する。
【０１１７】
測光用メータ７は、赤外線通信発光部４３３のほか、測光用メータ７全体を制御するメータマイコン部４２０、本実施形態のチャンネル設定手段であるチャンネル設定スイッチ３３０、操作部材である操作ボタン３０３ａと、操作ボタン３０３ａに連動する通信開始スイッチ３０３、人体を介しての送信手段である送信部３００、測光開始スイッチ４３１などから構成され、メータマイコン部４２０が各部を制御している。
【０１１８】
メータマイコン部４２０はメータＣＰＵ４２１、メータＲＡＭ４２２、メータＲＯＭ４２３等から構成され、不揮発性の記憶部であるメータＲＯＭ４２３に記憶されているプログラムをメータＲＡＭ４２２に読み出し、当該プログラムに従って赤外線通信発光部４３３、測光開始スイッチ４３１、送信部３００を含む測光用メータ７の各部を集中制御する。
【０１１９】
メータマイコン部４２０は、チャンネル設定スイッチ３３０にアクセスし、設定状態を読みとって、メータＲＡＭ４２２に記憶する。メータＲＡＭ４２２は第３の実施形態における第１の記憶手段である。
【０１２０】
送信部３００は第３の実施形態における送信手段である。図１で説明したように、送信部３００と接続される電極Ａ３０１、電極Ｂ３０２とカメラ１の受信部２００に接続される電極Ｃ２０１、電極Ｄ２０２の間で人体を介して通信が行われる。メータマイコン部４２０の人体通信送信制御部３２５はメータＲＡＭ４２２に記憶した情報を、送信部３００を制御して送信する。
【０１２１】
測光部４３２は光電変換素子を内蔵し、光量に応じた電圧を出力する。測光部４３２の接続されたメータマイコン部４２０は、内蔵するＡ／Ｄ変換器により測光部４３２の出力電圧をデジタル値に変換し、測光値とする。測光開始スイッチ４３１がオンになると、メータマイコン部４２０は測光部４３２の出力電圧を測光値としてメータＲＡＭ４２２に記憶する。通信開始スイッチ３０３がオンになると、メータＲＡＭ４２２に記憶された測光値を、赤外線通信発光部４３３により赤外線信号に変調して送信する。
【０１２２】
図１４は、本発明の第４の実施形態における、情報伝達装置８の外観図である。図１５は、本発明の第４の実施形態における、情報伝達装置８を使った情報伝達を説明する説明図である。なお、これまでの図に示したものと同じ構成要素には、同符号を付して説明を省略する。
【０１２３】
図１４（ａ）は正面図、図１４（ｂ）は背面図である。情報伝達装置８の正面には、送信ボタン５０１、受信ボタン５０２が設けられている。送信ボタン５０１の表面には、送信ボタン５０１を押すと指と接触するように電極Ａ  ３０１が設けられている。受信ボタン５０２の表面には、受信ボタン５０２を押すと指と接触するように電極Ｃ  ２０１が設けられている。
【０１２４】
情報伝達装置８の背面部には人体を介して通信するためのもう一方の電極Ｂ  ３０２と電極Ｄ  ２０２が設けられている。
【０１２５】
図１５を用いて、情報伝達装置８の機能を説明する。
【０１２６】
情報伝達装置８は周辺機器と撮像装置１０との間の人体通信を中継するための装置である。例えば図１５のように、フラッシュ５と撮像装置１０が、手の届かない位置にそれぞれ三脚に固定されている場合などでは、どちらかを三脚から取り外さないと人体通信を行うことができない。
【０１２７】
このようなとき、図１５（ａ）のように撮影者は情報伝達装置８を持ってフラッシュ５の通信開始ボタン３０３ａを押し、人体通信によってフラッシュ５の設定情報を情報伝達装置８に記憶させる。
【０１２８】
次に撮影者は図１５（ｂ）のように情報伝達装置８を持って、撮像装置１０のシャッタボタン６１を半押しして、情報伝達装置８に記憶した設定情報を、人体通信により撮像装置１０に送信する。
【０１２９】
図１６は本発明の第４の実施形態における、情報伝達装置８のブロック図である。なお、これまでの図に示したものと同じ構成要素には、同符号を付して説明を省略する。
【０１３０】
情報伝達装置８は、情報伝達装置８全体を制御する伝達機マイコン部６２０、送信ボタン５０１に連動する通信開始スイッチ３０３、受信ボタン５０２に連動する受信スイッチ５０３、人体を介しての送信手段である送信部３００、人体を介しての第１の受信手段である受信部２００、などから構成され、伝達機マイコン部６２０が各部を制御している。
【０１３１】
伝達機マイコン部６２０は伝達機ＣＰＵ６２１、本実施形態の第３の記憶手段である伝達機ＲＡＭ６２２、伝達機ＲＯＭ６２３等から構成され、不揮発性の記憶部である伝達機ＲＯＭ６２３に記憶されているプログラムを伝達機ＲＡＭ６２２に読み出し、当該プログラムに従って情報伝達装置８の各部を集中制御する。
【０１３２】
伝達機マイコン部６２０の人体通信受信制御部７３は、受信スイッチ５０３がＯＮになると、他の機器の送信部３００から人体通信で送信された信号を、情報伝達装置８の受信部２００で受信し、伝達機ＲＡＭ６２２に記憶する。
【０１３３】
伝達機マイコン部６２０の人体通信送信制御部３２５は伝達機ＲＡＭ６２２に記憶された情報を、送信部３００を制御して送信する。
【０１３４】
図１７は本発明の実施の形態における、周辺機器が行うデータ送信の概略の手順を説明するフローチャートである。
【０１３５】
図１７（ａ）は本発明の実施の形態における周辺機器が、設定情報を送信する概略の手順を説明するフローチャートである。図１７（ｂ）は、前記周辺機器が、設定情報を送信するときに起動するサブルーチンである情報送信ルーチンの送信手順を説明するフローチャートである。
【０１３６】
本実施の形態では、人体通信送信制御部３２５は、内部タイマーにより一定時間間隔で通信監視スイッチ３０２の状態を監視し、通信監視スイッチ３０２をＯＮにすると、人体を介しての伝送信号を受信可能となり、通信を開始するものとする。
【０１３７】
図１７（ａ）のステップＳ１００において、人体通信送信制御部３２５は通信開始スイッチ３０２がＯＮであることを検知したものとする（ステップＳ１００）。人体通信送信制御部３２５は、サブルーチンである情報送信ルーチンを起動する（ステップＳ１０１）。情報送信ルーチンが終了すると、設定情報の送信が完了する。
【０１３８】
次に図１７（ｂ）を用いて、情報送信ルーチンの概略の手順を説明する。
【０１３９】
情報送信ルーチンが起動すると、人体通信送信制御部３２５は送信部３００の図示せぬ電源をＯＮにし、周辺機器の情報と設定情報の数Ｎの情報を含むデータ送信開始信号を人体を介して送信する（ステップＳ１０２）。設定情報は周辺機器がフラッシュ５の場合はチャンネル設定情報、ガイドナンバ設定情報、機器情報などであり、各データを２バイトデータとして送信する。各データを識別するため、送信する順に固有の番号Ｎを割り当てている。例えばデータ１はチャンネル設定情報、データ２はガイドナンバ設定情報、データ３は機器情報である。
【０１４０】
ステップＳ１０３では人体通信送信制御部３２５は内部の第１の記憶手段であるフラッシュＲＡＭ３２２のデータ１を読み出し、送信部３００から変調信号を人体を介して送信する（ステップＳ１０３）。ステップＳ１０４までの間、データ２〜Ｎまで順次送信する（ステップＳ１０４）。
【０１４１】
データＮまで送信を終えると、人体通信送信制御部３２５はデータ送信終了信号を送信する（ステップＳ１０５）。これで、データ１〜Ｎの送信は終了し、メインルーチンに戻って終了する。
【０１４２】
本実施の形態では通信開始スイッチ３０３を設け、通信開始スイッチ３０３がＯＮの場合にデータを送信するように構成しているが、通信開始スイッチ３０３を無くしてステップＳ１０１を省略し、常にデータを繰り返し送信するようにしても良い。
【０１４３】
図１８は本発明の実施形態における、撮像装置１０が行うデータ受信の概略の手順を説明するフローチャートである。このとき、操作者は例えば右手で撮像装置１０のグリップ部２０５を握り、電極Ａ  ３０１に指が触れている状態であり、もう一方の手には周辺機器であるフラッシュ５、またはリモートコントローラ６、または測光用メータ７、または情報伝達装置８を持ち通信開始スイッチ３０３を押しているものとする。また、本実施の形態では、メインマイコン部７９は、内部タイマーにより一定時間間隔でシャッタボタン１１２の状態を監視し、シャッタボタン１１２を半押し（ＳＷ１  １８１  ＯＮ）にすると、人体を介しての伝送信号を受信可能となり、通信を開始するものとする。
【０１４４】
ステップＳ３０１において、人体通信受信制御部７３はシャッタボタン６１が半押し（ＳＷ１  １８１  ＯＮ）であることを検知したものとする。人体通信受信制御部７３は、後で詳しく説明する情報受信ルーチンを起動する（ステップＳ３０２）。情報受信ルーチンが実行されると、ＲＡＭ７５には周辺機器の設定情報が記憶されている。設定情報はフラッシュ５の場合は、チャンネル設定情報、ガイドナンバ情報、機器情報である。
【０１４５】
リモートコントローラ６、測光用メータ７の場合は、チャンネル設定情報、ガイドナンバ情報、機器情報である。機器情報はフラッシュ５など各周辺機器を示す固有の情報であり、チャンネル設定情報などは機器毎にＲＡＭ７５内の所定の場所に記憶される。情報伝達装置８の場合は、情報伝達装置８以外の周辺機器の設定情報を伝達する。
【０１４６】
無線通信制御部７１は、ＲＡＭ７５内に記憶されている各周辺機器ごとのチャンネル設定情報を読み出して、各周辺機器ごとの無線通信のチャンネルを設定する（ステップＳ３０３）。これで、人体を介しての情報受信は終了である。メインマイコン部７９は、以降受信した設定情報に基づいて、所定の制御を行う。
【０１４７】
なお、本実施の形態では操作者がシャッタボタン６１を半押し（ＳＷ１  １８１  ＯＮ）にしたとき、受信部２００が受信を開始するようにしているが、受信を開始する操作部材はシャッタボタン６１に限定されるものではなく、そのほかスイッチやボタンでも良い。また、電極Ｃ２０１をシャッタボタン６１などの操作部材表面に形成しても良い。さらに、スイッチやボタンの操作に関係なく常時受信部２００が受信するようにしても良い。
【０１４８】
図１９は本発明の第４の実施形態における、情報伝達装置８が行うデータ受信の概略の手順を説明するフローチャートである。
【０１４９】
図１９のステップＳ３５０において、人体通信受信制御部７３は、受信スイッチ５０３がＯＮか、どうか、判定する（ステップＳ３５０）。受信スイッチ５０３がＯＮの場合（ステップＳ３５０；Ｙｅｓ）、情報受信ルーチンを起動し（ステップＳ３０２）、処理が終了するとステップＳ３５０に戻る。
【０１５０】
受信スイッチ５０３がＯＦＦの場合（ステップＳ３５０；Ｎｏ）、人体通信送信制御部３２５は、通信開始スイッチ３０３がＯＮか、どうか、判定する（ステップＳ３５１）。通信開始スイッチ３０３がＯＮの場合（ステップＳ３５１；Ｙｅｓ）、情報送信ルーチンを起動し（ステップＳ１０１）、処理が終了するとステップＳ３５０に戻る。通信開始スイッチ３０３がＯＦＦの場合（ステップＳ３５１；Ｎｏ）、ステップＳ３５０に戻る。
。
【０１５１】
図２０は本発明の実施の形態における、人体を介して情報を受信するサブルーチンである情報受信ルーチンの手順を説明するフローチャートである。
【０１５２】
情報受信ルーチンが起動されると、受信失敗の回数を表す変数Ｍを初期化し、０とする（ステップＳ４０１）。次に、変数Ｍを取得し（ステップＳ４０２）、Ｍ＝３かどうか、判定する。（ステップＳ４０３）。Ｍ＜３、すなわち受信失敗回数が３回未満のとき、ステップＳ４０５に進む（ステップＳ４０３；Ｎｏ）。
【０１５３】
情報送信開始信号を所定時間以内に受信できなかったときは（ステップＳ４０５；Ｎｏ）、Ｍ＝Ｍ＋１とし、ステップＳ４０２に戻る（ステップＳ４１３）。
【０１５４】
情報送信開始信号を所定時間以内に受信できたときは（ステップＳ４０５；Ｙｅｓ）、情報送信開始信号に含まれる情報の種類と数の情報を得て、データ１を受信する（ステップＳ４０６）。データ１は例えばチャンネル設定情報である。
【０１５５】
データ１を所定時間以内に受信できなかったときは（ステップＳ４０７；Ｎｏ）、Ｍ＝Ｍ＋１とし、ステップＳ４０２に戻る（ステップＳ４１３）。
【０１５６】
データ１を所定時間以内に受信できたときは（ステップＳ４０７；Ｙｅｓ）受信したデータ、すなわちデータ１をＲＡＭ７５に記憶する（ステップＳ４０８）。
【０１５７】
同様に、データＮまで同じ手順で受信し、ＲＡＭ７５に記憶する。
【０１５８】
データＮを受信し（ステップＳ４０９）、データＮを所定時間以内に受信できなかったときは（ステップＳ４１０；Ｎｏ）、Ｍ＝Ｍ＋１とし、ステップＳ４０２に戻る（ステップＳ４１３）。
【０１５９】
データＮを所定時間以内に受信できたときは（ステップＳ４１０；Ｙｅｓ）、受信したデータを順にＲＡＭ７５に記憶する（ステップＳ４１１）。
【０１６０】
次にデータ終了信号を受信する（ステップＳ４１２）。データ終了信号を所定時間以内に受信できなかったときは（ステップＳ４１４；Ｎｏ）、Ｍ＝Ｍ＋１とし、ステップＳ４０２に戻る（ステップＳ４１３）。
【０１６１】
データ終了信号を所定時間以内に受信できたときは（ステップＳ４１４；Ｙｅｓ）、処理を終了し、元のメインルーチンに戻る。このとき、メインマイコン部７９は設定情報であるデータ１〜Ｎをすべて受信し、各情報は第２の記憶手段であるＲＡＭ７５に記憶されている。
【０１６２】
ステップＳ４０３において、Ｍ＝３、すなわち３回受信に失敗したとき（ステップＳ４０３；Ｙｅｓ）、受信不能と判定し、メインマイコン部７９はエラー処理を行う（ステップＳ４０４）。メインマイコン部７９はエラー処理として、たとえばＲＡＭ７５の所定の場所に受信不能を示す情報を記録する。
【０１６３】
以上のように本実施の形態によれば、人物が周辺機器とカメラに触れることにより、周辺機器の設定情報をカメラ本体に伝送し、カメラ側の設定を行うことができるので、操作性の良い撮像システムを提供できる。
【０１６４】
なお、本実施形態としてデジタルカメラを例示したが、銀塩カメラやビデオカメラなどにも適用可能である。
【図面の簡単な説明】
【０１６５】
【図１】本発明の実施の形態における伝送経路を説明する説明図である。
【図２】２つの伝送経路を、上記のインピーダンス値を用いて等価回路で表現した等価回路図である。
【図３】本発明の実施の形態に係る撮像装置１０の外観図である。
【図４】本発明の実施の形態に係る撮像装置１０の背面図である。
【図５】本発明の実施の形態に係る撮像システム１と、撮像システム１を構成する撮像装置１０の主たる機能構成を示すブロック図である。
【図６】本発明の実施形態における受信手段である受信部２００を説明するブロック図である。
【図７】本発明の第１の実施形態における、撮像システムを構成するフラッシュ５の外観図である。
【図８】本発明の第１の実施形態における、マルチフラッシュ撮影時の無線通信を説明するための説明図である
【図９】本発明の第１の実施形態における、撮像システムを構成するフラッシュ５のブロック図である。
【図１０】本発明の第２の実施形態における、撮像システムを構成するリモートコントローラ６の外観図である。
【図１１】本発明の第２の実施形態における、撮像システムを構成するリモートコントローラ６のブロック図である。
【図１２】本発明の第３の実施形態における、撮像システムを構成する測光用メータ７の外観図である。
【図１３】本発明の第３の実施形態における、撮像システムを構成する周辺機器である測光用メータ７のブロック図である。
【図１４】本発明の第４の実施形態における、情報伝達装置８の外観図である。
【図１５】本発明の第４の実施形態における、情報伝達装置８を使った情報伝達を説明する説明図である。
【図１６】本発明の第４の実施形態における、情報伝達装置８のブロック図である。
【図１７】本発明の実施形態における、周辺機器がが行うデータ送信の概略の手順を説明するフローチャートである。
【図１８】本発明の実施形態における、撮像装置１０が行うデータ受信の概略の手順を説明するフローチャートである。
【図１９】本発明の第４の実施形態における、情報伝達装置８が行うデータ受信の概略の手順を説明するフローチャートである。
【図２０】本発明の実施の形態における、像装置１０が行う情報受信ルーチンの手順を説明するフローチャートである。
【符号の説明】
【０１６６】
１  撮像システム
３  交換レンズ
５  フラッシュ
６  リモートコントローラ
７  測光用メータ
８  情報伝達装置
１０  撮像装置
７９  メインマイコン部
２００  受信部
２０１  電極Ｃ
２０２  電極Ｄ
３００  送信部
３０１  電極Ａ
３０２  電極Ｂ
３０３  通信開始スイッチ
３２０  フラッシュマイコン部
４２０  メータマイコン部
５２０  リモコンマイコン部
６２０  伝達機マイコン部
【図１】
2007053664.tif 000003
【図２】
2007053664.tif 000004
【図３】
2007053664.tif 000005
【図４】
2007053664.tif 000006
【図５】
2007053664.tif 000007
【図６】
2007053664.tif 000008
【図７】
2007053664.tif 000009
【図８】
2007053664.tif 000010
【図９】
2007053664.tif 000011
【図１０】
2007053664.tif 000012
【図１１】
2007053664.tif 000013
【図１２】
2007053664.tif 000014
【図１３】
2007053664.tif 000015
【図１４】
2007053664.tif 000016
【図１５】
2007053664.tif 000017
【図１６】
2007053664.tif 000018
【図１７】
2007053664.tif 000019
【図１８】
2007053664.tif 000020
【図１９】
2007053664.tif 000021
【図２０】
2007053664.tif 000022